(57)【要約】延長タイムアウト期間に匿名のインタラクティブ表示を生成するシステム及び方法を提供する。セキュリティタイムアウト中に健康データを表示するシステム及び方法を開示する。１つの方法は、インタラクティブインタフェースを表示することと、表示に含まれたデータタイプを受信することと、インタラクティブインタフェースのタイムアウトを検出することと、タイムアウトに応答して、データタイプを表示から隠すまたは取り除くことと、データタイプを取り除いた表示を含む延長タイムアウトを開始することとを含む。【選択図】図４
2020533669.tif 000002
【特許請求の範囲】
【請求項１】
セキュリティタイムアウト中に健康データを表示するコンピュータ実施方法であって、
インタラクティブインタフェースを表示することと、
前記表示に含まれたデータタイプを受信することと、
前記インタラクティブインタフェースのタイムアウトを検出することと、
前記タイムアウトに応答して、前記表示から前記データタイプを隠す、または、取り除くことと、
前記データタイプを取り除いた前記表示を含む延長タイムアウトを開始することと、
を含む、前記方法。
【請求項２】
前記データタイプは、患者のプライバシー情報を含む、請求項１に記載のコンピュータ実施方法。
【請求項３】
前記データタイプが前記表示に存在しない間、前記インタラクティブインタフェースのインタラクティブな特徴を提供すること
をさらに含む、請求項１に記載のコンピュータ実施方法。
【請求項４】
複数のインタフェースタイプを提供することと、
前記複数のインタフェースタイプから１つの選択されたインタフェースタイプに前記延長タイムアウトを提供することと、
をさらに含む、請求項１に記載のコンピュータ実施方法。
【請求項５】
前記表示に関して、対応するインタフェースタイプを検出することと、
前記表示の前記対応するインタフェースタイプが前記選択されたインタフェースタイプである場合、前記延長タイムアウトを提供すること、または、
前記表示の前記対応するインタフェースタイプが前記選択されたインタフェースタイプでない場合、前記延長タイムアウトの代替を提供すること、
をさらに含む、請求項４に記載のコンピュータ実施方法。
【請求項６】
前記代替は、ログインプロンプトもしくはオプション、免責事項、ナビゲーションオプション、または、ダウンロードの要約のうちの１つまたは複数を含む、請求項５に記載のコンピュータ実施方法。
【請求項７】
前記延長タイムアウトの期間を決定すること
をさらに含む、請求項１に記載のコンピュータ実施方法。
【請求項８】
前記表示がアクティブである時間長を検出することと、
前記アクティブな表示の前記時間長が、前記延長タイムアウトの前記期間を超えると、ログイン画面と、前記延長タイムアウト表示の終了とをプロンプトすることと、
をさらに含む、請求項１に記載のコンピュータ実施方法。
【請求項９】
前記表示にユーザ入力によって行った修正を記憶することと、
ユーザが承認されたログイン情報を提出すると、前記データタイプの前記データと共に前記修正を表示することと、
をさらに含む、請求項１に記載のコンピュータ実施方法。
【請求項１０】
セキュリティタイムアウト中に健康データを表示するシステムであって、
セキュリティタイムアウト中に健康データを表示する命令を記憶するデータ記憶装置と、
前記命令を実行して、方法を行うように構成されたプロセッサと、
を含み、前記方法は、
インタラクティブインタフェースを表示することと、
前記表示に含まれたデータタイプを受信することと、
前記インタラクティブインタフェースのタイムアウトを検出することと、
前記タイムアウトに応答して、前記表示から前記データタイプを隠す、または、取り除くことと、
前記データタイプを取り除いた前記表示を含む延長タイムアウトを開始することと、
を含む、前記システム。
【請求項１１】
前記データタイプは、患者のプライバシー情報を含む、請求項１０に記載のシステム。
【請求項１２】
前記方法は、前記データタイプが前記表示に存在しない間、前記インタラクティブインタフェースのインタラクティブな特徴を提供すること、
をさらに含む、請求項１０に記載のシステム。
【請求項１３】
前記方法は、
複数のインタフェースタイプを提供することと、
前記複数のインタフェースタイプから１つの選択されたインタフェースタイプに前記延長タイムアウトを提供することと、
をさらに含む、請求項１０に記載のシステム。
【請求項１４】
前記方法は、
前記表示に関して、対応するインタフェースタイプを検出することと、
前記表示の前記対応するインタフェースタイプが前記選択されたインタフェースタイプの場合、前記延長タイムアウトを提供すること、または、
前記表示の前記対応するインタフェースタイプが前記選択されたインタフェースタイプでない場合、前記延長タイムアウトの代替を提供すること、
をさらに含む、請求項１３に記載のシステム。
【請求項１５】
前記代替は、ログインプロンプトもしくはオプション、免責事項、ナビゲーションオプション、または、ダウンロードの要約オプションの１つまたは複数を含む、請求項１４に記載のシステム。
【請求項１６】
セキュリティタイムアウト中に健康データを表示するコンピュータ実行可能プログラミング命令を含むコンピュータシステムで使用される非一時的コンピュータ可読媒体であって、前記方法は、
インタラクティブインタフェースを表示することと、
前記表示に含まれたデータタイプを受信することと、
前記インタラクティブインタフェースのタイムアウトを検出することと、
前記タイムアウトに応答して、前記表示から前記データタイプを隠す、または、取り除くことと、
前記データタイプが除かれた前記表示を含む延長タイムアウトを開始することと、
を含む、前記方法。
【請求項１７】
前記データタイプは、患者のプライバシー情報を含む、請求項１６に記載のコンピュータ実施方法。
【請求項１８】
前記データタイプが前記表示に存在しない間、前記インタラクティブインタフェースのインタラクティブな特徴を提供すること
をさらに含む、請求項１６に記載のコンピュータ実施方法。
【請求項１９】
複数のインタフェースタイプを提供することと、
前記複数のインタフェースタイプから１つの選択されたインタフェースタイプに前記延長タイムアウトを提供することと
をさらに含む、請求項１６に記載のコンピュータ実施方法。
【請求項２０】
前記表示にユーザ入力によって行われた修正を記憶することと、
ユーザが承認されたログイン情報を提出すると、前記データタイプの前記データと共に前記修正を表示することと
をさらに含む、請求項１６に記載のコンピュータ実施方法。
【発明の詳細な説明】
【技術分野】
【０００１】
関連出願の相互参照
本出願は、２０１７年８月２９日出願の米国仮出願番号第６２／５５１，６７２号の優先権を主張し、その開示内容全体を、参照により本明細書に組み込む。
【０００２】
本開示の様々な実施形態は、一般的に、例えば、医療またはヘルスケアの現場で、患者のプライバシー情報を含むインタラクティブ表示に関する。具体的には、本開示の個々の実施形態は、セキュリティタイムアウト後に、延長タイムアウト期間を設けるシステム及び方法に関し、延長タイムアウトは、患者のプライバシー情報を保護しながら、医療専門家にインタラクティブインタフェースを提供し得る。
【背景技術】
【０００３】
病院、クリニック、及び、医療研究センター内の施設において、医師、医療関係者、及び、研究者は、患者固有のデータに基づいた研究、または、診断／治療法を求められることが多い。例えば、カテーテル検査室（カテラボ）において、ユーザは、患者固有のモデルまたはデータに対する分析を行うことが必要な場合があり、これは、特定のパラメータもしくは変更の入力、または、モデルのシミュレーションの観察もしくは操作を生じ得る。（例えば、セキュリティ認証の一部として）患者のプライベート情報を保護するために、このような分析のためのツール（例えば、インタラクティブな診断サービス）を提供する現行のシステムは、非アクティブな期間の後、「タイムアウト」してよく、ユーザの作業が失われる場合がある。このようなシステムは、非アクティブ状態を認識するとタイムアウトし得る。一方、「認識された非アクティブ状態」は、実際は、ユーザがツールを積極的に使用または参照している場合がある。例えば、ユーザは、患者に行っている進行中の処置の参考としてツールを使用している場合がある。従って、このようなツール／アプリケーションは、使用していてイライラしたり、処置中に頻繁にタイムアウトしたり、時には、ユーザの作業を失わせたり、ユーザの作業を中断させたりする場合がある。タイムアウト機能は、セキュリティ認証及びプライバシー基準の結果として、大抵のツールまたはアプリケーションから取り除くことができない場合があるので、患者固有の分析のための現行のアプリケーションまたはツールは、分析用にこのようなツールまたはアプリケーションを使用するユーザの能力を損なうもしくは妨害し、また、患者の治療の妨げになる。
【０００４】
よって、例えば、カテラボにおいて、患者のプライバシー情報を保護するセキュリティ制御の実施を保証しながら、ヘルスケア専門家に有益なユーザ体験を提供し、より多くの患者を治療し得るシステム及び方法が必要である。本開示は、上記問題及び関心の１つまたは複数の克服を目的としている。
【発明の概要】
【課題を解決するための手段】
【０００５】
本開示のある態様によると、患者のプライバシー情報を保護しながら、医療専門家にインタラクティブインタフェースを提供するシステム及び方法が開示される。セキュリティタイムアウト中に健康データを表示する１つの方法は、インタラクティブインタフェースを表示することとと、表示に含まれたデータタイプを受信することと、インタラクティブインタフェースのタイムアウトを検出することと、タイムアウトに応答して、表示からデータタイプを隠すまたは取り除くことと、データタイプが取り除かれた表示を含む延長タイムアウトを開始することと、を含む。
【０００６】
他の実施形態によると、セキュリティタイムアウト中に健康データを表示するシステムが開示される。システムは、セキュリティタイムアウト中に健康データを表示する命令を記憶するデータ記憶装置と、命令を実行して方法を行うように構成されたプロセッサとを含み、方法は、インタラクティブインタフェースを表示するステップと、表示に含まれたデータタイプを受信するステップと、インタラクティブインタフェースのタイムアウトを検出するステップと、タイムアウトに応答して、表示からデータタイプを隠すまたは取り除くステップと、データタイプが取り除かれた表示を含む延長タイムアウトを開始するステップとを含む。
【０００７】
さらに他の実施形態によると、セキュリティタイムアウト中に健康データを表示する方法を行うコンピュータ実行可能プログラミング命令を含むコンピュータシステムで使用される非一時的コンピュータ可読媒体が開示される。方法は、インタラクティブインタフェースを表示することと、表示に含まれたデータタイプを受信することと、インタラクティブインタフェースのタイムアウトを検出することと、タイムアウトに応答して、表示からデータタイプを隠すまたは取り除くことと、データタイプが取り除かれた表示を含む延長タイムアウトを開始することと、を含む。
【０００８】
開示の実施形態の追加の目的及び長所は、一部は以下の記載で説明され、一部は、記載より明らかである、または、開示の実施形態の実践により学習されてよい。開示の実施形態の追加の目的及び長所は、添付の特許請求の範囲で詳細に指摘される要素及び組み合わせによって実現または達成される。
【０００９】
上記の一般的な記載及び以下の詳細な記載は両方とも、例示及び説明のためのものであり、特許請求の範囲で制限するように開示の実施形態を制限することはないことは理解されたい。
【００１０】
添付図面は、本明細書の一部に組み込まれ、本明細書の一部を構成し、様々な例示の実施形態を図面と共に示し、開示の実施形態の原理の説明に役立つ。
【図面の簡単な説明】
【００１１】
【図１Ａ】本開示の例示の実施形態による、表示を提供する例示のインタラクティブ診断システム１００を示す図である。
【図１Ｂ】本開示の例示の実施形態による、図１Ａのインタラクティブ診断システムの診断計算を提供する例示の方法を示すフローチャートである。
【図１Ｃ】本開示の例示の実施形態による、インタラクティブ診断システム１００を介してユーザに提供され得る表示の例を示す図である。
【図２】本開示の例示の実施形態による、医療診断のためのインタラクティブ表示を作成するための表示プラットフォームのブロック図である。
【図３】本開示の例示の実施形態による、表示プラットフォームの一部となり得る延長タイムアウトプロセッサのブロック図である。
【図４】本開示の例示の実施形態による、患者のプライバシーを守る表示（例えば、延長タイムアウト表示）を開始する例示の方法を示すフローチャートである。
【図５】本開示の例示の実施形態による、ユーザインタフェースタイプに基づいて、患者のプライバシーを守る表示を開始する例示の方法を示すフローチャートである。
【図６】本開示の例示の実施形態による、患者のプライバシーを守る表示（例えば、延長タイムアウト表示）を終了する例示の方法を示すフローチャートである。
【図７】本開示の例示の実施形態による、アクティブなセッション中のユーザインタフェースの図である。
【図８】本開示の例示の実施形態による、標準タイムアウトセッション中のユーザインタフェースの図である。
【図９Ａ】本開示の例示の実施形態による、延長タイムアウトセッション中のユーザインタフェースの図である。
【図９Ｂ】本開示の例示の実施形態による、延長タイムアウトセッションの終了時のユーザインタフェースの図である。
【発明を実施するための形態】
【００１２】
本明細書で使用される場合、「例示の」という用語は、「理想的」ではなく、「例」という意味で使用される。さらに、本明細書の「第１」「第２」等の用語は、順番、数量、重要性のいずれも示すものではなく、１つの概念または構造を他の概念または構造と区別するために使用される。さらに、本明細書の「ａ」及び「ａｎ」という語は、数量を限定するものではなく、言及されている物が１つまたは複数存在することを示す。開示の目的のために、「患者」は、診断または治療分析（例えば、データ分析）が行われている任意の個体もしくはヒト、または、１つまたは複数の個体の診断または治療分析に関連付けられた任意の個体もしくはヒトを指してよい。
【００１３】
本開示の例示の実施形態に詳細に言及する、実施形態の例は、添付図面に示される。可能な限り、同じ参照番号が、図面を通して同じまたは類似の部分を指して使用される。
【００１４】
上記のように、セキュリティタイムアウトという形の現行の患者のプライバシー保護手段は、患者の治療を妨げ、ユーザを苛立たせる場合がある。プライベートな個人健康情報（ＰＨＩ）のセキュリティ及びプライバシーを促進する基準が普及しているために、患者固有の分析のために既存システムのタイムアウト機能を取り除くのは実行不可能である。本開示は、患者のプライバシーを守りながらも、モデルのインタラクティブ分析のために延長視聴時間を提供することに関し、具体的には、本開示は、標準的な（セキュリティ）タイムアウトの後トリガされ得る延長タイムアウト機能を提供する。延長タイムアウト中、ユーザは、インタラクティブ表示、または、表示の様々な能力／機能にアクセスし得るが、表示の患者のプライバシー情報は、取り除かれてよい、または、マスクされてよい。例えば、延長タイムアウトは、患者の機密のまたはプライベートな個人健康情報を黒で塗り潰し得る、または、アクセスできないようにレンダリングし得るインタフェースを提供してよく、一方、患者固有の分析データは、インタラクティブ表示で、ユーザが視聴、操作、または、修正するために利用可能であってよい。言い換えると、延長タイムアウト期間中のインタラクティブ表示は、患者のプライバシー情報を欠いてよい。
【００１５】
例えば、ユーザは、（例えば、タイムアウト後）患者固有のデータに対する進行中の作業にアクセス及び作業を継続できてよく、これは、ユーザが、患者のモデルまたはテスト結果へのアクセスを維持し、モデルまたはテスト結果を操作し、モデル／テスト結果の再計算または修正をプロンプトし得ることを意味する。同時に、患者の機密及び／またはプライベートな情報（または、患者固有の分析データを患者の身元にリンクできる任意の情報）は、ユーザインタフェースには存在しなくてよい。結果として、ユーザは、患者の略歴または他の機密及び／またはプライベートな情報を特定すること無しに、進行中の分析のデータ及び／または記憶された設定へのアクセスを保持し得る。ユーザ（例えば、医師）がアプリケーションまたはツールに定期的にアクセスする必要があるが、アプリケーションまたはツールが強制的または標準的なタイムアウトに入るのを防ぐ頻度レベルではアクセスできないまたはアクセスしない場合、延長タイムアウト機能は、患者の処置または治療中に有用であり得る。
【００１６】
ある実施形態においては、ユーザは、任意の他の患者のデータにアクセスを試みる場合、ログイン認証情報を提出または延長タイムアウトセッションを終了するようにプロンプトされてよい。言い換えると、ＨＩＴＲＵＳＴ（Ｈｅａｌｔｈ  Ｉｎｆｏｒｍａｔｉｏｎ  Ｔｒｕｓｔ  Ａｌｌｉａｎｃｅ）の順守を確実にするために、本開示のある実施形態は、関係のない患者記録に監視無しでアクセスすることを防ぎ得る。例えば、様々な機能によって、物理的及び論理的にシステムへのアクセスを制限してよい。システムのユーザは、患者記録への監視無しのアクセスがある場合、プライバシーのリスクが存在し得ることを通知されてよい。システムは、タイムアウト延長に関して、プライバシーリスク警告もユーザに提供してよい。さらに、システムは、ユーザによるプライバシーリスクの承認及び引き受けをユーザにプロンプトしてよい。ある実施形態においては、プライバシーリスクの引き受けは、対象事業者（例えば、保険）に拡大されてよい、または、対象事業者によって代わられてよい。
【００１７】
ある実施形態においては、システムの実施態様は、システムの制御及び／またはアクセスを軽減する特徴を含み得る。これらの特徴は、一回のセッションに対する通常のタイムアウト期間の延長を含み得る。例えば、期間は、ユーザが法的免責事項を見た後、１５分に延長されてよい。言い換えると、システムが、５分間の非アクティブ状態の後、標準的なセキュリティタイムアウトをプロンプトするように設定される場合、このような実施形態は、１５分の延長を提供してよく、そうすると、ユーザが法的免責事項を読んで同意したと検出された場合、非アクティブな状態が２０分になるまで、標準タイムアウトは開始されない。このような延長は、各セッション及び各ユーザに対して一度、提供されてよく、そうすると、ユーザは、ユーザが、その特定のセッションの法的免責事項に対する同意に署名または検証した場合のみ、タイムアウトの延長を受ける。
【００１８】
特徴は、第２のログイン確認をさらに含んでよく、第２のログイン確認は、（例えば、ログイン後）システムに対する高度な権利を有することをユーザに要求してよい。他の特徴は、１つの患者記録に対するアカウントロックを見ること（または、見るのを可能にすること）と、アカウントロック無しに、一部または全ての患者固有の情報のビューを黒く塗り潰すこととを含んでよいが、これらに限らない。ユーザは、例えば、タイムアウトの前に、「サインインして変更を保存」するようにプロンプトされてもよい。従って、様々なリスク軽減のための特徴によって、関係の無い患者記録への監視の無いアクセスを防いでよく、ユーザにリスクに関する適切な権利を通知してよく、また、高度なシステム権利の形で、ユーザ・ツー・ユーザベースの例外を許可してよい。
【００１９】
まとめると、本開示は、機密及び／またはプライベートな情報を保護する「タイムアウト」を要求するセキュリティプロトコルを遵守しながら、機密及び／またはプライベートではない情報へのアクセス（及び、場合によっては、その情報を操作する能力）へのアクセスを提供するシステム及び方法を記載する。このようにして、医師及び臨床医が、患者を識別する情報を露出することなく、また、繰り返しサインインを求められることなく、ツールの使用を継続し得る。同時に、ヘルスケア提供者のサイバーセキュリティ責任者は、患者の健康情報がタイムアウト機能によって保護されることを確信してよく、診断サービス提供者（例えば、ツール／アプリケーション提供者）は、患者のプライバシーの安全を保証しながら、有益な使用者体験及び顧客体験を提供し得る。
【００２０】
本開示は、患者固有の分析データを入力、モデルを生成もしくはシミュレーション、ユーザ入力に基づいた分析を実行、結果を表示もしくは記憶し得るクラウドベースのアプリケーション、ツール、ソフトウェア、または、デバイスであってよいシステムを記載する。クラウドベースのアプリケーションは、ユーザがどこからでもログインすることを可能にし得る。
【００２１】
図１Ａ〜図１Ｃは、例示のインタラクティブ診断システムを提供する。具体的には、図１Ａは、延長タイムアウト能力を含み得るインタラクティブ診断システムの概観を示し、図１Ｂ及び図１Ｃは、患者固有の血流診断システムを含むインタラクティブ診断システムの特定の実施形態を示す。図２及び図３は、図１Ａのインタラクティブ診断システムの延長タイムアウト機能を提供し得るブロック図を提供する。図４〜図６は、延長タイムアウト能力を実施する例示の方法を含み、図７〜図９Ｂは、延長タイムアウトの一部であり得る例示のユーザインタフェースを示す。
【００２２】
図１Ａは、表示を提供する例示のインタラクティブ診断システム１００を示す。この表示に関しては、インタラクティブ診断システム１００は、患者のプライバシーを守る延長タイムアウト表示を提供し得る。図１Ｂは、診断計算システム１２０を示し、診断計算システム１２０は、インタラクティブ診断システム１００の１つまたは複数のグラフィックスまたは基礎的なデータ分析を提供し得る。診断計算システム１２０は、例えば、インタラクティブ診断システム１００の表示プラットフォーム１０１の表示を作成するインタラクティブ診断システム１００の一部であってよい。あるいは、診断計算システム１２０は、インタラクティブ診断システム１００とインタラクトして、計算または画像を提供してよく、計算または画像は、診断計算システムを介して直接、表示されてよい、または、インタラクティブ診断システム１００の表示のための基礎として働いてよい。図１Ｃは、インタラクティブ診断システム１００を介してユーザに提供され得る表示の例である。図１Ｃの視覚化は、全体的または部分的に、診断計算システム１２０によって生成されてよい。図１Ａ〜図１Ｃを、それぞれ、下記に詳細に記載する。
【００２３】
図１Ａは、例示の実施形態による、患者のプライバシーを守る延長タイムアウト表示を提供する例示のインタラクティブ診断システム１００のブロック図を示す。一実施形態においては、インタラクティブ診断システム１００は、表示プラットフォーム１０１、患者プライバシープラットフォーム１０３、患者プライバシーデータベース１０７、記録データベース１０９、ポータル１１１、及び、ネットワーク３１３を含む様々な構成要素から構成されてよい。患者のプライバシー情報は、患者のプライバシー、例えば、患者の健康情報（ＰＨＩ）を保護するための任意の情報を含み得る。
【００２４】
一実施形態においては、表示プラットフォーム１０１は、インタラクティブ診断システムの様々な機能を行ってよい。一実施形態においては、表示プラットフォーム１０１は、ユーザの解剖学的構造の三次元の幾何学的モデルを含む解剖学的モデルと、診断値に対応する色（複数可）、陰影（複数可）、パターン（複数可）、もしくは、他の視覚的指標（複数可）、または、これらの組み合わせを有する１つまたは複数の診断値とを含むユーザインタフェースを提供してよい。ユーザインタフェースは、色の付いた視覚的指標、グラフィックス、チャート、表、以前の患者記録もしくは母集団データとの比較、推奨される治療等を含む、１つまたは複数のインタラクティブ表示を含んでよい。表示プラットフォーム１０１は、１つまたは複数のインタラクティブな特徴をさらに提供し得る。例えば、表示プラットフォーム１０１は、ある表示にアクセスする、表示を再考察、表示とインタラクト（例えば、修正）する、または、これらの組み合わせのために、ユーザが選択するための複数のタブを含むユーザインタフェースを提示してよい。表示プラットフォーム１０１は、図２により詳細に記載される。様々な診断用表示に関する追加の詳細は、例えば、米国特許番号第８，５４８，７７８号「Ｍｅｔｈｏｄ  ａｎｄ  Ｓｙｓｔｅｍ  ｆｏｒ  Ｐｒｏｖｉｄｉｎｇ  Ｉｎｆｏｒｍａｔｉｏｎ  ｆｒｏｍ  ａ  Ｐａｔｉｅｎｔ−Ｓｐｅｃｉｆｉｃ  Ｍｏｄｅｌ  ｏｆ  Ｂｌｏｏｄ  Ｆｌｏｗ」に記載されており、その全体を参照により本明細書に組み込む。
【００２５】
一実施形態においては、患者プライバシープラットフォーム１０３は、患者を識別し得る様々な情報を検出してよい。患者プライバシープラットフォーム１０３は、患者の身元を提供または暴露し得る情報として働く可能性のある情報をさらに識別してよい。患者のプライバシー情報は、位置によって変わり得る。例えば、様々な国または地理的領域によって、患者のプライバシーを保護する要件は異なり得る。一例として、米国法は、個人の健康情報を個人にリンクできる情報のカテゴリを規定することによって、患者のプライバシーを保護しようとする。この情報カテゴリは、「保護医療情報（ＰＨＩ）」と呼ばれ、米国の医療専門家及びサービス提供者は（例えば、医者、病院、保険会社、対象事業者、仕事関係者等）は、ＰＨＩ関連データの使用及び転送を定める規制によって管理される。他の国及び領域は、類似の規制、法律、及び／または、基準を含み得る。カナダは、患者情報を連邦レベル及び州レベルで保護し、ヨーロッパは、一般データ保護規則（ＧＤＰＲ）の下に（医療情報を含む）個人データを保護する。患者プライバシープラットフォーム１０３は、表示プラットフォーム１０１に関連付けられたヘルスケア施設に適用するプライバシー基準に関連する患者識別情報また患者プライバシー情報を検出してよい。
【００２６】
一実施形態においては、患者プライバシーデータベース１０７は、インタラクティブ診断システム１００の患者のプライバシー情報を記憶してよい。記録データベース１０９は、過去のインタラクティブ表示セッションからのデータを記憶してよい。このようなデータは、インタラクティブなセッション、インタラクティブセッションから作成された分析（例えば、記録）、または、それらの組み合わせに使用されたデータを含み得る。記録は、（ファイル形態の）インタラクティブなモデル、または、印刷可能／ダウンロード可能なＰＤＦ記録を含んでよい。
【００２７】
一実施形態においては、ポータル１１１は、表示プラットフォーム１０１のインタフェースにアクセスを提供してよい。一実施形態においては、ポータル１１１は、表示のセットが利用可能な時、通知を生成または受信してよい。ポータル１１１は、ユーザインタフェースに視覚的指標を表示して、１つまたは複数の表示（例えば、患者の分析）が利用可能なことを示してよい。ポータル１１１は、記録にアクセス可能な時、通知（例えば、患者または医療専門家のユーザデバイスで受信されるメッセージ）をプロンプトしてもよい。あるいは、または、さらに、ポータル１１１は、分析の進行、または、分析されたデータの追跡に対応する視覚的指標を表示してよい。例えば、ポータル１１１は、「３日後に記録は利用可能」または「金曜日の午後３時に遡ってチェックして下さい」を示すユーザインタフェースを表示してよい。
【００２８】
ネットワーク１１３は、インターネット、コンテンツ配信ネットワーク、または、任意の他の有線、無線、及び／または、電話もしくはローカルのネットワークを含み得る。表示プラットフォーム１０１、患者プライバシープラットフォーム１０３、患者プライバシーデータベース１０７、記録データベース１０９、ポータル１１１、及び、様々なユーザ及び／または管理者のデバイスは、ネットワーク１１３を介して互いに通信してよい。一実施形態においては、ユーザは、ネットワーク１１３及び１つまたは複数のデバイスを介して、表示プラットフォーム及び／またはポータル１１１にアクセスしてよい。
【００２９】
デバイスは、ネットワーク１１３を介して、ウェブサイト及びマルチメディアコンテンツ等、データを収集、送信、及び／または、受信するように構成された任意の種類の電子デバイスを含んでよい。デバイスは、医療デバイス、例えば、医療用イメージングデバイス、医療用モニタ等を含んでよい。デバイスは、ネットワーク１１３と通信するように配置された１つまたは複数のモバイルデバイス、スマートフォン、パーソナルデジタルアシスタント（「ＰＤＡ」）、タブレットコンピュータ、または、任意の他の種類のタッチスクリーン対応デバイス、パーソナルコンピュータ、ラップトップ、及び／または、サーバも含み得る。各デバイスは、データプライバシーシステム１００と連携しているウェブサーバの１つまたは複数から受信した電子コンテンツを受信及び表示するためにインストールされたウェブブラウザ及び／またはモバイルブラウザを有してよい。デバイスは、ウェブもしくはモバイルブラウザ、及び、任意の種類のアプリケーション、例えば、モバイルアプリケーションを実行するように構成されたオペレーティングシステムを有し得るクライアントデバイスを含んでよい。一実施形態においては、様々なデバイスは、データまたは分析された記録をネットワーク１１３を介して通信するようにネットワークアダプタと共に構成されてよい。あるいは、または、さらに、様々なデバイスが、ローカル接続を介してデータを送信または分析されたデータを受信するように構成されてよい。
【００３０】
図１Ｂは、インタラクティブ診断システム１００を含み得る、または、インタラクティブ診断システム１００とインタラクトし得る表示の種類の１つの特定の実施形態を示す。具体的には、図１Ｂは、本開示の例示の実施形態による、特定の患者の冠血流に関する様々な情報を提供する診断計算システム１２０を示す。特定の患者の血流情報を決定する方法及びシステムの様々な実施形態に関する追加の詳細は、例えば、米国特許番号第８，３１５，８１２号「Ｍｅｔｈｏｄ  ａｎｄ  Ｓｙｓｔｅｍ  ｆｏｒ  Ｐａｔｉｅｎｔ−Ｓｐｅｃｉｆｉｃ  Ｍｏｄｅｌｌｉｎｇ  ｏf  Ｂｌｏｏｄ  Ｆｌｏｗ」に開示され、参照によりその全体を本明細書に組み込む。
【００３１】
例示の実施形態においては、診断計算システム１２０は、特定の患者の血流に関する様々な情報を、その患者から取り出した情報を用いて決定してよい。決定された情報は、患者の冠血管系の血流に関してよい。冠血管系は、大動脈から細動脈、毛細血管、小静脈、静脈等にわたる複雑な血管網を含み得る。冠血管系は、心臓に及び心臓内に血液を循環させ、複数の主冠状動脈４（図１Ｃ）に血液を供給する大動脈（図１Ｃ）（例えば、左前下行枝（ＬＡＤ）動脈、左回旋枝（ＬＣＸ）動脈、右冠状（ＲＣＡ）動脈等）を含み、これらは、さらに、大動脈２及び主冠状動脈４から下流の動脈枝または他の種類の血管に分かれてよい。従って、例示の方法及びシステムは、大動脈、主冠状動脈、及び／または、主冠状動脈の下流の他の冠状動脈または血管の血流に関する様々な情報を決定してよい。大動脈及び冠状動脈（及び、それらから延びる枝）を以下に記載するが、開示の方法及びシステムは、他の種類の血管にも適用されてよい。あるいは、決定された情報は、頸動脈、末梢、腹部、腎臓、及び、脳の血管系等、患者の他の部位の血管系の血流に関してよい。
【００３２】
例示の実施形態においては、開示の方法及びシステムによって決定された情報は、大動脈、主冠状動脈、及び／または、主冠状動脈の下流の他の冠状動脈もしくは血管の様々な位置における、血流速度、圧較差、圧力（または、圧力比）、流量、及び、血流予備量比（ＦＦＲ）等、様々な血流の特性またはパラメータを含み得るが、これらに限らない。この情報は、病変が機能的に重大であるか否か、及び／または、病変を治療すべきか否かを決定するために、及び／または、様々な治療オプションの結果を予測するために、使用されてよい。この情報は、患者から非侵襲的に取得した情報を用いて決定されてよい。結果として、病変を治療すべきか否かの決定は、侵襲的方法に関連するコスト及びリスク無しに行われ得る。
【００３３】
患者の心臓の形状、例えば、患者の大動脈の少なくとも一部、大動脈とつながった主冠状動脈（主冠状動脈から延びる枝）の近位部、及び、心筋、に関するデータ等、患者固有の解剖学的データ１２１が取得されてよい。患者固有の解剖学的データ１２１は、例えば、非侵襲的な撮像方法を用いて、非侵襲的に取得されてよい。例えば、ＣＣＴＡは、ユーザが、コンピュータ断層撮影（ＣＴ）スキャナを操作して、構造、例えば、心筋、大動脈、主冠状動脈、及び、それらにつながった他の血管を観察し、それらの画像を作成し得る撮像方法である。あるいは、磁気共鳴映像法（ＭＲＩ）もしくは超音波（ＵＳ）等の他の非侵襲的な撮像方法、または、デジタルサブトラクション血管造影法（ＤＳＡ）等の侵襲的撮像方法を使用して、患者の解剖学的構造の構造の画像を作成してよい。（例えば、ＣＣＴＡ、ＭＲＩ等によって与えられる）結果として生じる画像データは、放射線ラボまたは心臓専門医等のサードパーティベンダによって、または、患者の医師等によって提供されてよい。他の患者固有の解剖学的データ１２１も、例えば、最大（収縮期）及び最大（拡張期）の血圧等、（例えば、血圧計カフを用いた）患者の上腕動脈の血圧等、非侵襲的に患者から決定されてよい。
【００３４】
一実施形態においては、診断計算システム１２０は、患者の解剖学的構造の三次元モデル１２の様々な表示（図１Ｃ）を提供してよい。患者の解剖学的構造のモデルは、患者固有の解剖学的データ１２１を用いて作成されてよい。ある実施形態においては、モデル１２によって表現された患者の解剖学的構造の一部は、大動脈２の少なくとも一部と、大動脈２につながった主冠状動脈４の近位部（及び、そこから延びたまたは出ている枝）とを含んでよい。三次元モデル１２は、左心室及び／または右心室、冠状動脈４及び／またはその枝内のカルシウム及び／またはプラーク、冠状動脈４及び／または枝に結合された及び／またはそれらを囲む他の組織等、患者の解剖学的構造の他の部分も含んでよい。
【００３５】
冠血流量に関する様々な生理学的法則または関係１２３が、例えば、実験データから推定されてよい。モデル１２と推定された生理学的法則１２３とを用いて、患者固有の血流に関する複数の方程式１２５が、決定されてよい。例えば、方程式１２５は、例えば、有限差分法、有限体積法、スペクトル法、格子ボルツマン法、粒子ベース法、レベル集合法、有限要素法等、任意の数値法を用いて、決定及び解かれてよい。方程式１２５は、モデル１２によって表現される解剖学的構造の様々な点における患者の解剖学的構造の冠血流量に関する情報（例えば、圧力、圧較差、ＦＦＲ等）を決定するために可解であってよい。
【００３６】
ある実施形態においては、モデル１２が、分析のために用意されてよく、境界条件が決定されてよい。例えば、モデル１２は、トリミングされ、体積メッシュ、例えば、有限要素メッシュまたは有限体積メッシュに離散化されてよい。体積メッシュを使用して、方程式３０を生成してよい。境界条件は、生理学的法則１２３を用いて決定されてよく、方程式３０に組み込まれてよい。境界条件は、モデル１２の境界、例えば、流入境界、流出境界、血管壁境界等における、モデル１２に関する情報を提供してよい。流入境界は、大動脈基部に近い大動脈の端部等、そこを通って血流が三次元モデルの解剖学的構造内に向けられる境界を含み得る。各流入境界は、心臓モデル及び／または集中型パラメータモデルを境界等に結合することによって、例えば、規定の流速値もしくは場、流量、圧力、または、他の特性を割り当てられてよい。流出境界は、大動脈弓に近い大動脈の端部、及び、主冠状動脈の下流の端部、及び、そこから延びる枝等、そこを通って、血流が三次元モデルの解剖学的構造の外側に向けられる境界を含み得る。各流出境界は、例えば、集中型パラメータまたは分散型（例えば、一次元波動伝搬）モデルを結合することによって、割り当てられてよい。流入及び／または流出境界条件の規定値は、心拍出量（心臓からの血流量）、血圧、心筋質量等であるが、これらに限らない、患者の生理学的特性を非侵襲的に測定することによって決定されてよい。血管壁境界は、モデル１２の大動脈、主冠状動脈、及び／または、他の冠状動脈もしくは血管の物理的境界を含み得る。
【００３７】
方程式１２５は、コンピュータシステム１２７を用いて解かれてよい。解かれた方程式１２５に基づいて、コンピュータシステム１２７は、方程式１２５の解に基づいて決定された、ＦＦＲ、血圧（または圧較差）、血流、または、血流速度等、１つまたは複数の血流特性を示す情報１２９を出力してよい。コンピュータシステム１２７は、下記のように、モデル１２と、情報１２９もしくはコンピュータ分析の他の結果とに基づいて生成された画像を出力してよい。情報１２９は、例えば、従来はアデノシンの静脈内投与によって引き起こされた、冠血流量が増加した条件、または、充血条件のシミュレーションで決定されてよい。例えば、上記の境界条件は、冠血流量が増加した条件、充血条件、及び／または、アデノシンの影響を具体的にモデル化し得る。
【００３８】
コンピュータシステム１２７は、インタラクティブ診断システム１００を含んでよい、インタラクティブ診断システム１００のインタフェースを直接、提供してよい、または、インタラクティブ診断システム１００が表示を提供するのに使用する情報を提供してよい。例えば、コンピュータシステム１２７が上記のように方程式１２５を解いた後、コンピュータシステム１２７は、患者の現在の状態の血流特性を示す情報１２９に加えて（または、代わりに）、様々な治療オプションをモデル化する次数低減（例えば、零次元または一次元の）モデル１３１を作成してよく、ネットワーク（例えば、システム１００のネットワーク１１３）に送信してよい。例えば、次数低減モデル１３１は、患者の解剖学的構造の集中型パラメータモデルまたは他の簡単なモデルであってよく、このモデルを使用して、上記の方程式１２５のより複雑なシステムを解く必要無く、患者の冠血流量に関する情報を決定してよい。次数低減モデル１３１は、計算されたモデルから抽出された情報（上記方程式１２５を解くことによって決定された、例えば、血圧、血流、または、血流速度の情報）を用いて作成されてよい。
【００３９】
一実施形態においては、タブレットコンピュータ１３３は、ネットワーク、例えば、インタラクティブ診断システム１００のネットワーク１１３に接続されてよい。ユーザは、タブレットコンピュータ１３３を介してポータル１１１にアクセスして、表示プラットフォーム１０１のインタフェースとインタラクトしてよい。
【００４０】
図１Ｃは、本開示の例示の実施形態による、例示のインタラクティブ表示１４０を示す。インタラクティブ表示１４０は、（インタラクティブ診断システム１００の）表示プラットフォーム１０１によって、（診断計算システム１２０の）タブレット１３３にレンダリングされてよい。一実施形態においては、インタラクティブ表示１４０は、コンピュータシステム１２７から出力され得る計算されたＦＦＲモデル１４１を含んでよい。表示プラットフォーム１０１は、ユーザが計算された診断モデル１４１とインタラクトするためのインタラクティブ表示１４０を生成してよい。本事例では、モデル１４１は、血流予備量比（ＦＦＲ）モデル１４１を含み、ここで、ＦＦＲは、例えば、モデル１４３の流入境界で、大動脈の血圧によって割られた（例えば、冠状動脈の）モデル１４３の特定の位置の血圧の比として計算されてよい。対応する色、陰影、パターン、または、他の視覚的指標が、計算されたＦＦＲモデル１４１全体の各ＦＦＲ値に割り当てられてよく、それによって、計算されたＦＦＲモデル１４１は、モデル１４１の各点の個々の数値を視覚的に示す必要無く、モデル１４１全体のＦＦＲの変動を視覚的に示し得る。
【００４１】
例示のユーザインタラクションは、（例えば、１つまたは複数の治療オプションの選択、血管形状の変更、治療オプションの（例えば、ステント）の形状の変更、治療オプション（例えば、運動）の時間の選択等において）、ユーザが提供した入力を用いて方程式１２５を再度、解くことによって、血流特性（複数可）を示す情報を再計算するようにというユーザプロンプトを含んでよい。表示プラットフォーム１０１及びタブレットコンピュータ１３３は、血流特性（複数可）の計算（または、再計算）のために、ユーザ入力を受信してよく、情報をコンピュータシステム１２７に伝えてよい。計算が完了すると、コンピュータシステム１２７は、次に、（方程式１２５に基づいて）再計算された血流情報をネットワーク１１３に送信してよく、表示プラットフォーム１０１は、再計算された血流情報をユーザが再考察するためにインタラクティブ表示を作成してよい。例えば、表示プラットフォーム１０１は、再計算された血流情報の数値（複数可）、再計算前後の血流情報の比較、（ユーザの入力による解剖学的モデルへの幾何学的変化を含む）モデル１４３の更新バージョン等を含む１つまたは複数の表示を生成してよい。一実施形態においては、表示プラットフォーム１０１のインタラクティブ表示（複数可）は、ポータル１１を介してタブレットコンピュータ１３３を用いて視聴またはアクセスされてよい。
【００４２】
図２及び図３は、図１Ａのインタラクティブ診断システムの延長タイムアウト機能を提供し得る例示のブロック図を示す。具体的には、図２は、表示プラットフォーム１０１の例示のブロック図を含み、標準的な（例えば、セキュリティ）タイムアウトプロセッサ及び延長タイムアウトプロセッサを含み得る。図３は、表示プラットフォーム１０１の延長タイムアウトプロセッサの構成要素及び機能を詳細に示す例示のブロック図を含む。
【００４３】
図２は、本開示の例示の実施形態による、医療診断のインタラクティブ表示を作成するための表示プラットフォーム１０１のブロック図２００である。図２に示すように、表示プラットフォーム１０１は、インタフェースモジュール２０３、監視モジュール２０５、及び、設定モジュール２０７を含み得る。一実施形態においては、設定モジュール２０７は、標準タイムアウトプロセッサ２０９、延長タイムアウトプロセッサ２１１、及び、タスクロックプロセッサ２１３をさらに含んでよい。例示の表示プラットフォーム１０１は、表示プラットフォーム１０１の一部として動作し得る様々なモジュール及びプロセッサ間の機能及びインタラクションを指示する制御論理回路を含み得る。
【００４４】
一実施形態においては、インタフェースモジュール２０３は、一連のインタフェースを用意してよい。例えば、インタフェースモジュール２０３は、ユーザが所与のセッションまたは一連のセッションを経て進行し得る一連のインタフェースを提供してよい。セッションは、例えば、カテラボの処置、または、フォローアップの臨床セッションを含んでよい。一実施形態においては、様々なインタフェースは、「ホーム（Ｈｏｍｅ）」「マイプロフィール（Ｍｙ  Ｐｒｏｆｉｌｅ）」「マイケースリスト（Ｍｙ  Ｃａｓｅ  Ｌｉｓｔ）」「インタラクティブビューア（Ｉｎｔｅｒａｃｔｉｖｅ  Ｖｉｅｗｅｒ）」及び「ヘルプ（Ｈｅｌｐ）」を含んでよい。インタフェースは、例えば、図７に示すように、一連のタブとして提供されてよい。様々な選択が、各インタフェースで利用可能であってよい。例えば、「ホーム」は、行われる手順の選択の範囲を提供してよく、「マイプロフィール」は、特定のユーザに関連付けられたセキュリティまたはインタフェースビュー設定を提供してよく、及び／または、「マイケースリスト」は、ユーザに関連付けられた患者のリスト（例えば、ユーザが情報にアクセスできる患者）または利用可能な（例えば、テスト結果が完了及び利用可能な）診断検査のリストを提供してよい。
【００４５】
一実施形態においては、「インタラクティブビューア」インタフェースは、ユーザが、診断ツールを修正して、例えば、リアルタイムで処置の進行を監視、様々な疾病の治療オプション（例えば、運動もしくは食事療法、ステント挿入、バイパス移植等）のシミュレーション、様々な治療オプションのリスク及び便益の評価、及び／または、治療の予測される結果を比較して、患者の治療計画を強化し得るインタフェースを含んでよい。ある選択は、一部のインタフェースでのみ利用可能（例えば、一部のインタフェース固有）であってよく、他の選択は、複数のインタフェースで提供されてよい。一実施形態においては、インタフェースモジュール２０３は、インタフェースタイプをさらに定めてよい。幾つかのインタフェースは、１つのインタフェースタイプで提供されてよい。例えば、「ホーム」「マイプロフィール」「マイケースリスト」「インタラクティブビューア」及び「ヘルプ」は、それぞれ、「インタフェースタイプ」と考えられてよい。例えば、ユーザが、インタラクティブ表示プラットフォーム１０１のツールに関して修理、ガイダンス、または、教示を要求するオプションの選択を有する画面は、「ヘルプ」インタフェースタイプと考えられてよい。
【００４６】
一実施形態においては、監視モジュール２０５は、インタフェースに対するユーザ入力またはユーザインタラクションを受信してよい。監視モジュール２０５は、ユーザがどのインタフェースを使用中か、ユーザのセッションの長さ、ユーザの身元、どの能力または機能をユーザが現在使用しているか等を検出してよい。
【００４７】
一実施形態においては、設定モジュール２０７は、表示プラットフォーム１０１を介して利用可能な様々な設定を定めてよい。一実施形態においては、設定モジュール２０７の様々な設定は規定であってよい。あるいは、または、さらに、規定のデフォルト設定は、ユーザによって、インタラクティブ診断システム１００の開始もしくはインストール中に、または、個々のユーザによって調整されてよい。様々な設定の中には、標準タイムアウト、延長タイムアウト、ロック画面の設定がある。一実施形態においては、標準タイムアウトプロセッサ２０９は、表示プラットフォーム１０１の標準タイムアウトを制御してよい。例えば、標準タイムアウトプロセッサ２０９は、タイムアウトがトリガされ得るセッション持続時間を設定してよい。一実施形態においては、標準タイムアウトは、ユーザが１５分間アイドル状態になると、生じてよい。例えば、標準タイムアウトプロセッサ２０９は、監視モジュール２０５が１５分間、ユーザからの入力が無いことを検出すると、（例えば、タスクロックプロセッサ２１３を介して）画面のロックを開始してよい。タスクロックは、標準タイムアウトを含んでよい。標準タイムアウトプロセッサ２０９は、標準タイムアウトの設定をさらに定めてよい。例えば、一実施形態は、自動的に、ユーザの直近の作業／セッションを保存することと、ユーザのセッションに替わるログイン画面をプロンプトすることとを伴ってよい。
【００４８】
一実施形態においては、延長タイムアウトプロセッサ２１１は、延長タイムアウトセッションを管理してよい。一実施形態においては、延長タイムアウトセッションは、インタラクティブ画面を含んでよく、インタラクティブ画面は、ユーザが一部のインタラクティブ機能を使用するのを可能にするが、患者のプライバシー情報をインタラクティブ表示から取り除く。一実施形態においては、延長タイムアウトプロセッサ２１１は、延長タイムアウトがユーザが使用し得る複数のインタフェースのうち、一部のインタフェースのみに提供されるように、設定されてよい。言い換えると、ユーザは、一般に、大半のインタフェースに対して標準タイムアウトからログイン画面に出会うことになってよい。インタフェースのサブセットに関しては、しかしながら、ユーザは、ユーザがセッションで作業を継続し得るように、標準タイムアウト後、延長タイムアウトセッションを提供されてよい。延長タイムアウトは、患者のプライバシー情報をマスクするので、元のセッションと同じ機能の多くを提示してよい。
【００４９】
一実施形態においては、延長タイムアウトプロセッサ２１１は、延長タイムアウトの設定または条件を定めてよい。例えば、延長タイムアウトプロセッサ２１１は、どのセッションまたはインタラクティブ表示が延長タイムアウトを提供するか、延長タイムアウトの長さ、延長タイムアウト終了時のユーザのオプション等を定めてよい。図３は、延長タイムアウトプロセッサ２１１の能力に関する追加の詳細を示す。
【００５０】
一実施形態においては、タスクロックプロセッサ２１３は、標準タイムアウトプロセッサ２０９及び延長タイムアウトプロセッサ２１１のオプションの代替を提供し得る。例えば、タスクロックプロセッサ２１３は、ユーザがログインしないと、または、ユーザの身元が確認されないと、インタラクティブな能力をインタフェースから取り除くように区分けする。
【００５１】
図３は、本開示の例示の実施形態による、表示プラットフォーム１０１の一部であってよい延長タイムアウトプロセッサ２１１のブロック図３００である。図３に示すように、延長タイムアウトプロセッサ２１１は、インタフェースモジュール２０３、監視モジュール２０５、及び、設定モジュール２０７を含み得る。一実施形態においては、設定モジュール２０７は、標準タイムアウトプロセッサ２０９、延長タイムアウトプロセッサ２１１、及び、タスクロックプロセッサ２１３をさらに含んでよい。例示の延長タイムアウトプロセッサ２１１は、表示プラットフォーム１０１の一部として動作してよい様々なモジュール及びプロセッサ間の機能及びインタラクションを指示する制御論理回路を含んでよい。
【００５２】
一実施形態においては、プライバシー情報モジュール３０３は、患者のプライバシー情報を構成するデータのタイプを規定してよい。識別モジュール３０５は、患者のプライバシー情報を含む表示のエリアを検出してよい。一実施形態においては、安全表示モジュール３０７は、患者のプライバシー情報が延長タイムアウトセッション中に見えないように、患者のプライバシー情報を含む表示のエリアを遮蔽してよい。持続時間モジュール３０９は、延長タイムアウトの持続時間を設定してよい。例えば、持続時間モジュール３０９は、延長タイムアウトの持続時間として４時間を設定してよい。一実施形態においては、表示プラットフォーム１０１の監視モジュール２０５は、ユーザが延長タイムアウト中のユーザのセッションを含む、ユーザのセッション持続時間を監視してよい。一実施形態においては、持続時間モジュール３０９は、ユーザの延長タイムアウトセッションが設定の持続時間（例えば、４時間）に到達すると、ユーザのインタラクティブセッションに代るメニュー画面をプロンプトしてよい。一実施形態においては、メニュー画面は、例えば、「ログインしてセッションを回復」「記録を印刷」「記録をダウンロード」等のオプションを含んでよい。１つのシナリオでは、持続時間モジュール３０９は、ユーザがユーザの延長タイムアウトの終了に近付くと、一連の警告画面またはカウントダウン表示をさらにプロンプトしてよい。
【００５３】
図４〜図６は、延長タイムアウトセッションを実施する例示の方法を示す。具体的には、図４は、延長タイムアウトセッションを開始する例示の方法を含む。図５は、延長タイムアウトセッションが選択されたインタフェースタイプ、例えば、「インタラクティブビューア」インタフェースに対してのみ開始される特定の実施形態を含む。図６は、延長タイムアウトセッションを終了する例示の方法を含む。
【００５４】
図４は、様々な実施形態による、患者のプライバシーを守る表示（例えば、延長タイムアウト表示）を開始する例示の方法のフローチャートである。一実施形態においては、表示は、延長タイムアウト期間中、生じてよい。例えば、標準タイムアウトが生じたことを検出すると、延長タイムアウトが開始してよく、延長タイムアウトの表示は、患者のプライバシー情報が取り除かれた、または、マスクされた表示を含んでよい。一実施形態においては、ステップ４０１は、表示、例えば、インタラクティブビューアインタフェースを検出することを含んでよい。ステップ４０３は、その表示に含まれた患者のプライバシー情報を検出することを含んでよい。一実施形態においては、患者のプライバシー情報は、ＰＨＩデータを含んでよい。ステップ４０１及び４０３は、標準タイムアウトが検出される（例えば、ステップ４０５）まで継続的に行われてよい。標準タイムアウトが検出される場合、ステップ４０７は、検出された患者のプライバシー情報を表示から隠す及び／または取り除くことを含んでよい。患者のプライバシー情報がビューから隠されると、延長タイムアウトセッションが開始されてよい（例えば、ステップ４０９）。延長タイムアウト設定は、インタラクティブ表示設定を含んでよく、インタラクティブ表示設定においては、ユーザは、患者のプライバシー情報にアクセスできないが、表示の幾つかの特徴とインタラクトし得る（例えば、モデルとインタラクション、画像キャプチャ、背景もしくはビューの操作（例えば、色の反転）、ピンの配置もしくは除去、リセット、ズーム等）。
【００５５】
図５は、様々な実施形態による、ユーザインタフェースタイプに基づいて患者のプライバシーを守る表示を開始する例示の方法のフローチャートである。一実施形態においては、ステップ５０１は、複数のインタフェースタイプを検出または指定することを含んでよい。例えば、コンピュータ化された臨床サービスは、例えば、生データアップロードインタフェース／レポジトリ、データ選択、クリーニング、もしくは、前処理インタフェース、進行もしくはステータスチェックインタフェース、結果検索インタフェース、インタラクティブ結果ビューインタフェース、記録インタフェース等、複数のタイプのユーザインタフェースを備えてよい。ある場合には、延長タイムアウトのオプションが、インタフェースタイプのサブセットで提供されてよい。例えば、延長タイムアウトは、インタフェースタイプの全てではなく、複数のインタフェースタイプのうちの一部のインタフェースタイプのオプションであってよい。１つのシナリオでは、ステップ５０１は、ユーザが生データアップロードインタフェースやデータ選択インタフェースではなく、インタラクティブ結果ビューインタフェースを使用している間、延長タイムアウトをオプションとして提供することを含んでよい。一実施形態においては、ステップ５０３は、ユーザが現在使用している表示に関して、その表示のインタフェースタイプ、例えば「検出されたインタフェースタイプ」を検出することを含んでよい。ある場合には、標準タイムアウトの開始によって、ステップ５０３を行わせてよい。
【００５６】
一実施形態においては、ステップ５０５は、検出されたインタフェースタイプが延長タイムアウトをオプションとして利用可能なインタフェースの１つであるか否かを検出することを含んでよい。例えば、延長タイムアウトが（ステップ５０１で指定されたように）インタラクティブ結果ビューインタフェースに提供され、且つ、ユーザがインタラクティブ結果ビューインタフェース使用中にユーザのセッションがステップ５０３でタイムアウトした場合、延長タイムアウトが開始されてよい（例えば、ステップ５０７）。延長タイムアウトがオプションではないインタフェースをユーザが使用している間に、ユーザのセッションが終了（例えば、タイムアウト）した場合、ステップ５０９は、タイムアウトを延長することを開始せずに、ユーザにもう一度サインインすることを求めるログインプロンプトを開始することを含んでよい。あるいは、または、さらに、ステップ５０９は、ホーム画面または、他のオプションの画面にアクセスするオプションをユーザに提供してよい。
【００５７】
図６は、様々な実施形態による、患者のプライバシーを守る表示（例えば、延長タイムアウト表示）を終了する例示の方法のフローチャートである。一実施形態においては、ステップ６０１は、延長タイムアウトセッションの設定を生成することを含んでよい。例えば、ステップ６０１は、延長タイムアウトの持続時間の設定、例えば、４時間を含んでよい。一実施形態においては、ステップ６０３は、延長タイムアウト期間中に、ユーザが表示に費やした時間量を決定または監視することを含んでよい。ステップ６０５は、ユーザが延長タイムアウト期間中に費やした時間量が（例えば、ステップ６０１から）延長タイムアウトの設定持続時間に到達したか否かを決定することを含んでよい。設定された持続時間に到達した場合、延長タイムアウト表示がログイン表示に置き換わってよい（例えば、ステップ６０７）。ステップ６０７は、延長タイムアウト期間中、ユーザ作業のダウンロードオプションまたは印刷オプションをユーザに提供することをさらに含んでよい。設定された持続時間に到達していない場合、ステップ６０３及びステップ６０５が、設定された持続時間に到達するまで繰り返されてよい。
【００５８】
図７は、標準セッション中の例示のユーザインタフェース７００を含む。図８は、標準タイムアウトの例示のユーザインタフェース８００を示し、図９Ａ及び図９Ｂは、延長タイムアウトの例示のユーザインタフェース９００を示す。
【００５９】
一実施形態においては、ユーザインタフェース７００は、ユーザがアクティブなセッション中の例示の表示を表してよい。ユーザインタフェース７００は、例えば、患者名（例えば、「Ｊｏｈｎ  Ｓｍｉｔｈ」）、生年月日、及び／または、他の患者識別情報（例えば、（ヘルスケア施設またはツールによって割り当てられた）患者識別子、患者の健康に関するデータが取得された日付（例えば、患者の解剖学的構造に関するコンピュータ断層撮影（ＣＴ）データが取得された日付）等）を含むヘッダ７０１を含んでよい。ヘッダ７０１は、アクティブセッションにログインしたユーザを示すもの（例えば、「Ｊａｎｅ  Ｄｏｅ」）をさらに含んでよい。
【００６０】
例示のユーザインタフェース７００は、ユーザが「インタラクティブビューア」モードまたは「インタラクティブビューア」インタフェースタイプにいる間の、可能な表示のインスタンスである。メニュー７０３から分かるように、他のインタフェースタイプは、「ホーム」「マイプロフィール」「マイケースリスト」及び「ヘルプ」を含んでよい。一実施形態においては、「ホーム」インタフェースタイプは、医療ツールの様々な異なる機能または能力へのアクセスを提供してよい。「マイプロフィール」は、ユーザの認証情報及びアクセス情報を記憶してよい。ある場合には、「マイプロフィール」は、ユーザの情報へのアクセス権（例えば、ある患者のプロフィールにはアクセスでき、他の患者にはアクセスできないこと、ファイルとインタラクト、見る、または、再考察する能力等）を保持してよい。「マイケースリスト」は、各患者に関して利用可能な生医療データのダッシュボードと、それぞれに対する可能な分析とをユーザに提供してよい。例えば、「マイケースリスト」は、各患者に関して、インタフェースによって記憶された医療データのプログレスバーまたは他の指標と、ユーザが見るまたは検証するための準備ができている医療データの利用可能な分析とをユーザに提供してよい。「インタラクティブビューア」は、例えば、分析または、元の分析へのユーザの修正を見る、修正する、保存する、もしくは印刷／ダウンロードする時、ユーザが１つまたは複数の分析とインタラクトし得るインタフェースを提供してよい。ユーザインタフェース７００から分かるように、インタラクティブビューアインタフェースタイプは、メニュー７０３の「インタラクティブビューア」タブの選択によって示されてよい。ある実施形態においては、延長タイムアウトは、ユーザが使用中のインタフェースに応じて、ユーザに提供される場合と、されない場合がある。例えば、一実施形態は、インタラクティブビューアインタフェースタイプの表示に延長タイムアウトを提供し得るが、「ホーム」「マイプロフィール」「マイケースリスト」または「ヘルプ」の表示には提供しない。
【００６１】
一実施形態においては、ユーザインタフェース７００は、患者の健康分析のための媒体、例えば、患者の解剖学的モデル７０５を含んでよい。ユーザインタフェース７００は、そうすると、ユーザが媒体／モデル７０５とインタラクトする時に採用する様々な特徴を提供し得る。例えば、特徴は、ユーザが、モデル、例えば、「フルモデルインタラクション」を用いて作業し得る方法を含んでよく、これは、モデル７０５の形状を変更し、ユーザのモデル形状への修正を所与として、患者固有の診断値（例えば、血流予備量比（ＦＦＲ））を再計算する方法を提供し得る。「フルモデルインタラクション」は、ドロップダウン予測シミュレーションメニュー（図示せず）も提供してよく、これは、治療のガイダンスをユーザに提供してよい。例えば、患者が非侵襲的な治療（例えば、運動療法）、侵襲的な治療（例えば、ステント移植）、異なる生理学的状態（例えば、医療または運動モード）等を体験した場合、予測シミュレーションは、モデル７０５への変更（及び、対応する診断値への変更）を示し得る。予測シミュレーションのパラメータは、ユーザによって選択されてよい。例えば、ユーザは、運動療法の種類または長さ／持続時間を選択してよく、患者の運動への反応を予測する助けになり得るモデル７０５への更新と対応する患者固有の診断値とを表示するようにユーザインタフェース７００をプロンプトしてよい。同様に、侵襲的な治療の例においては、ユーザは、ステントの種類、ステント形状、及び／または、ステントの位置を入力してよく、患者の状態の改善という点で侵襲的な治療の結果（例えば、成功または失敗）の予測を助けるように、モデル７０５と対応する診断値とを更新するようにユーザインタフェース７００をプロンプトしてよい。
【００６２】
ユーザインタフェース７００は、ユーザインタフェース７００の表示、例えば、「背景を反転」「フルスクリーンビュー」「リセット」もしくは「ズーム」「全てをクリア」もしくは「画像キャプチャ」を用いて、ユーザが作業するのを容易にする特徴も提供してよい。これらの特徴の一部は、目下の表示に固有の能力を提供してよく、例えば、「全てをクリア」は、「全てのピンをクリア」であってよい。ここで、ユーザインタフェース７００は、ユーザが、「ピン」という表示のタグ部分をクリック、タッチ、または、他の方法で選択するのを可能にする。
【００６３】
一実施形態においては、ユーザインタフェース８００は、標準タイムアウトの例示の表示を表してよい。ユーザインタフェース８００は、ユーザのセッションがタイムアウトしたことをユーザに示すバナー８０１を含んでよい。オプションパネル８０３は、様々なタブ、例えば、情報８０５、設定８０７、及び、警告８０９を含んでよい。バナー８０１の配置を比較すると分かるように、バナー８０１は、タイムアウト中、患者を識別する情報が表示されないように、ヘッダ７０１を覆ってよい。一実施形態においては、ユーザが、所与の患者とのセッション継続、ツールの機能へのアクセス、または、所与の患者以外の患者の分析へのアクセス及び開始を望む場合は、情報タブ８０５は、ログイン認証情報を提出するログイン画面をユーザに提供してよい。
【００６４】
オプションパネル８０３の例示の情報タブ８０５は、患者識別子、患者の解剖学的構造または健康状態の生データ（例えば、コンピュータ断層撮影画像データ）が取得された日付、委託医師の識別、ユーザの施設、及び／または、ツールを使用する識別子等を含むログイン認証情報を入力するようにユーザへのプロンプトを含む。追加のログイン認証情報は、ユーザ名（例えば、ユーザの名前、仮名、もしくは、ユーザの他の識別子、または、ユーザの施設もしくはアカウント）、パスワード、認証ツール（例えば、キャプチャ）等を含んでよい。設定タブ８０７は、ツールの設定、例えば、表示の明るさ、自動保存オプション、ダウンロードオプション、警告のタイミング（例えば、セッションが非アクティブになってから終了するまで１０分、５分、及び／または、１分の警告）、デフォルトの記録ファイルタイプ（例えば、ポータブルドキュメントフォーマット（ＰＤＦ）、テキストファイル、スプレッドシートファイル、画像ファイル等）にユーザがアクセスするためのオプションを含んでよい。一実施形態においては、設定タブ８０７のオプションは、ユーザがログイン認証情報を提出し、ユーザの認証情報が承認されて初めてアクセス可能であってよい。言い換えると、設定タブ８０７のオプションは、ユーザがアクティブである（例えば、タイムアウト中以外にセッションにログインした）間のみ、ユーザに利用可能であってよい。警告タブ８０９は、ユーザに警告を表示してよい。例示の警告は、例えば、ユーザのセッションのタイムアウトが近いこと、患者のファイルが異なるアカウントによってアクセスされていること、ユーザのログイン認証情報がユーザの現在のセッション以外のセッションのログインに使用されている（例えば、同時ログイン）と知らされること、最後にユーザがログインして患者のアカウントにログインした後、患者のファイルが変更された等、のユーザへの通知を含んでよい。一実施形態においては、警告タブ８０９の警告は、ユーザのセッションがタイムアウトした後、他のログイン認証情報が受信されない限り、短時間（例えば、５分）、表示されてよい。この種の設定においては、最近タイムアウトしたセッションのユーザは、画面の近くにおり、おそらく、セッション再開に関心を持っていると推測される。同時に、前のセッションの警告は、他のユーザのツールを使用する能力の邪魔になるほど長い間、継続しなくてもよい。
【００６５】
一実施形態においては、図９Ａのユーザインタフェース９００は、延長タイムアウトの例示の表示を表してよく、図９Ｂのユーザインタフェース９５０は、延長タイムアウト終了時の例示の表示を表してよい。バナー９０１の配置をユーザインタフェース７００のヘッダ７０１の配置と比べると分かるように、バナー９０１は、タイムアウト中に患者を識別する情報が表示されないように、ヘッダ７０１を覆ってよい。ユーザインタフェース９００は、アクティブなセッション中に利用可能であったのと同じ特徴及び能力（例えば、モデルインタラクション及びビューオプション）を提供してよい。ユーザが異なる患者に関する情報にアクセスを試みる場合、または、「インタラクティブビューア」インタフェースから出るナビゲーションを試みる場合、ログインプロンプト９０３が提供されてよい。一実施形態においては、ログインプロンプト９０３は、ユーザが、延長タイムアウト中に行った自分の分析をダウンロードするダウンロードオプション９０５を提供してよい。一実施形態においては、延長タイムアウト期間中のユーザのインタラクションは、自動的に記憶されてよく、ユーザのログインは、標準タイムアウト前のユーザの作業の最新バージョン、または、延長タイムアウト時の自動保存バージョンにアクセスするオプションを有してよい。
【００６６】
延長タイムアウト期間の終了に到達すると（例えば、延長タイムアウトの４時間／設定された持続時間、または、所与の非アクティブな期間（例えば、標準タイムアウト後、２０分の非アクティブ状態）の終了時に、ユーザインタフェース９５０がユーザに表示されてよい。一実施形態においては、ユーザインタフェース９５０は、分析を受動的に見ることを可能にしてよいが、機能または能力は取り除かれてよい。バナー８０１及びバナー９０１と同様、バナー９５１は、患者のプライバシー情報をマスクし、ユーザがタイムアウトセッション中であることをユーザに知らせる。ユーザが、（例えば、クリック、タッチ、または、動作によって）インタフェースとのインタラクトを試みると、ログインプロンプト９５３は、ユーザの延長タイムアウトセッションを継続するためにユーザのログイン認証情報を要求してよい、または、（特徴は、ユーザインタフェース９５０中、ロックされる、または、利用できないので、更新されない）最新の分析のダウンロードをプロンプトしてよい。
【００６７】
あるいは、または、さらに、延長タイムアウト期間の終了は、ユーザインタフェース８００の表示もプロンプトしてよく、ユーザインタフェース８００では、分析の表示が利用できず、ユーザは、ツールの使用を続けるためにはログインするしかオプションが無くなる。一実施形態においては、ユーザインタフェース８００が、ユーザインタフェース９５０に代わって表示されてよい。あるいは、ユーザインタラクションが、ユーザインタフェース９５０を表示する規定の時間閾値（例えば、５分）内に検出されない場合、ユーザインタフェース８００が表示されてよい。例えば、ユーザインタフェース９５０は、延長タイムアウト期間（例えば、４時間）の終了に到達するとすぐに表示されてよい。ユーザインタラクションが、５分間、検出されない場合、ユーザインタフェース９５０は、ユーザインタフェース８００に切り替わってよく、分析（匿名ではあるが）もビューから取り除かれる。
【００６８】
患者のプライバシー規制及び標準の順守を保証するために、インタラクティブな診断ツール及びアプリケーションは、標準的なセキュリティタイムアウトを有することが多い。多くの場合に関して、標準タイムアウトは、ユーザが１５分間「非アクティブ」になると作動してよい。しかしながら、ユーザは、処置中、ツール／アプリケーションと継続的にインタラクトしない場合が多く、連続して作業セッションからタイムアウトされると、ユーザ及び患者を苛立たせたり、不便であったりする場合がある。ユーザは、タイムアウト中に、自分の作業の成果を失う場合があり、ユーザが度々ログインを要求されると、処置の時間が長くなり得る。同時に、患者、ヘルスケア専門家、及び、セキュリティ担当者は、患者のプライバシー情報の保護に高い基準を維持したく、使用されていないツール／アプリケーションが患者のプライバシー情報を露出し続けるというシナリオは防ぎたい。延長タイムアウトは、中断の無い作業セッションを提供しながら、患者のプライバシーを保護し得る。延長タイムアウトは、標準タイムアウト後の表示として出現してよく、ユーザが診断ツール／アプリケーションの一部の機能にアクセスするのを可能にしたまま、患者のプライバシー情報を表示から取り除く。ある場合には、延長タイムアウト表示は、例えば、ユーザが患者のプライバシー情報を他の当事者から遮蔽しながらも、分析の一部を共有したい場合、標準タイムアウトさえ無しに開始されてよい。
【００６９】
発明の他の実施形態は、本明細書に開示の発明の詳細を考慮し、実践すると、当業者には明らかであろう。詳細及び例は、例示のためのみと見なされ、発明の真の範囲及び趣旨は、以下の特許請求の範囲によって示されることを意図している。
【図１Ａ】
2020533669.tif 000003
【図１Ｂ】
2020533669.tif 000004
【図１Ｃ】
2020533669.tif 000005
【図２】
2020533669.tif 000006
【図３】
2020533669.tif 000007
【図４】
2020533669.tif 000008
【図５】
2020533669.tif 000009
【図６】
2020533669.tif 000010
【図７】
2020533669.tif 000011
【図８】
2020533669.tif 000012
【図９Ａ】
2020533669.tif 000013
【図９Ｂ】
2020533669.tif 000014
【国際調査報告】
2020533669.tif 000015
2020533669.tif 000016
2020533669.tif 000017